(57)【要約】【課題】一対のバネ用ポストにおける掛止部相互間の距離を可変とすることで事後的な仕様変更や設計変更の要請にも柔軟に対応し得るコイルバネのためのバネ用ポストの取付け構造の提供。【解決手段】固定体１１側に一側バネ用ポスト２２を、可動体３１側に他側バネ用ポスト４２をそれぞれ取り付け、掛止部２６，４４相互間に引張り用コイルバネ５２を架け渡す際、一側バネ用ポスト２２は、その基端部２４側に雄ねじ部２５を有して直進させた本体部２３と、該本体部２３の開放端側から折曲された掛止部２６とで略Ｌ字形に形成し、本体部２３の進退方向での固定体１１の一側面１２側から他側面１３側へと貫通形成された螺孔に対し、本体部２３を進退自在に螺合配置して掛止部２６，４４相互間の離間距離を可変とした。【選択図】図３
2009063074.tif 000002
【特許請求の範囲】
【請求項１】
固定体側に一側バネ用ポストを、可動体側に他側バネ用ポストを各別に取り付け、これら一側バネ用ポストの掛止部と他側バネ用ポストの掛止部との間にコイルバネを架け渡すコイルバネのためのバネ用ポストの取付け構造において、
前記一側バネ用ポストおよび／または前記他側バネ用ポストは、その基端部側に雄ねじ部を有して直進させた本体部と、該本体部の開放端側から折曲された前記掛止部とで略Ｌ字形を呈して形成され、
前記本体部の進退方向での前記固定体および／または前記可動体の一側面側から他側面側へと貫通形成された螺孔に対し、前記本体部を進退自在に螺合配置して前記掛止部相互間の離間距離を可変としたことを特徴とする圧縮用コイルバネのためのバネ用ポストの取付け構造。
【請求項２】
前記一側バネ用ポストおよび／または前記他側バネ用ポストは、固定体および／または可動体の前記一側面側と前記他側面側とのうちの少なくともいずれか一方の側に位置する前記本体部における前記雄ねじ部の一部と螺合させたナットを、前記固定体および／または前記可動体側に緊締してその位置固定を自在とした請求項１に記載のコイルバネのためのバネ用ポストの取付け構造。
【請求項３】
前記固定体および／または前記可動体には、前記他側面側に前記螺孔と連通して前記ナットの没入を許す逃し部を設けた請求項２に記載のコイルバネのためのバネ用ポストの取付け構造。
【発明の詳細な説明】
【技術分野】
【０００１】
本発明は、基台などの固定体側に対し、所定の作業動作を行う可動体側をコイルバネを介して位置調整自在に連結する際に好適なコイルバネのためのバネ用ポストの取付け構造に関する技術である。
【背景技術】
【０００２】
通常、コイルバネは、固定体側に設置されたバネ用ポストと可動体側に設置されたバネ用ポストとの相互間に架け渡すことで、可動体側を位置調整自在に支持させるために使用されている。
【０００３】
下記特許文献１には、コイルバネが引張り用コイルバネであり、その取り付けと取り外しとを容易に行えるようにしたバネ用ポストが開示されている。
【特許文献１】実用新案登録第３１３２１４６号公報
【０００４】
また、下記特許文献２には、コイルスバネが圧縮用コイルバネであり、該圧縮用コイルバネをバネ用ポスト相互間に架け渡すことで搬送機構のような可動側を所定の圧縮方向に付勢することができるようになっている。
【特許文献１】特開２００４−１５２７９７号公報
【発明の開示】
【発明が解決しようとする課題】
【０００５】
しかし、上記特許文献１および２に開示されているバネ用ポストは、例えば図５にすように固定体１側に設置されたバネ用ポスト２と可動体３側に設置されたバネ用ポスト４との取付け位置がいずれも固定されているため、後発的に仕様変更や設計変更の必要が生じたとしても、コイルバネの一つである引張り用コイルバネ５に要求される初張力や最大許容撓みなどが変動してしまうので、十分な対応を図ることができないという不都合があった。
【０００６】
このため、後発的な仕様変更や設計変更があった場合には、これに対応させるべく取付け穴を新たに追加工した上で、該取付け穴にばね用ポストを改めて位置固定させた上で、コイルスバネを架け渡さなければならなくなるという煩雑さがあった。
【０００７】
本発明は、従来技術にみられた上記課題に鑑み、一対のバネ用ポストにおける掛止部相互間の距離を可変とすることで事後的な仕様変更や設計変更の要請にも柔軟に対応し得るコイルバネのためのバネ用ポストの取付け構造を提供することに目的がある。
【課題を解決するための手段】
【０００８】
本発明は、上記目的を達成すべくなされたものであり、固定体側に一側バネ用ポストを、可動体側に他側バネ用ポストを各別に取り付け、これら一側バネ用ポストの掛止部と他側バネ用ポストの掛止部との間にコイルバネを架け渡すコイルバネのためのバネ用ポストの取付け構造において、前記一側バネ用ポストおよび／または前記他側バネ用ポストは、その基端部側に雄ねじ部を有して直進させた本体部と、該本体部の開放端側から折曲された前記掛止部とで略Ｌ字形を呈して形成され、前記本体部の進退方向での前記固定体および／または前記可動体の一側面側から他側面側へと貫通形成された螺孔に対し、前記本体部を進退自在に螺合配置して前記掛止部相互間の離間距離を可変としたことを最も主要な特徴とする。
【０００９】
この場合、前記一側バネ用ポストおよび／または前記他側バネ用ポストは、固定体および／または可動体の前記一側面側と前記他側面側とのうちの少なくともいずれか一方の側に位置する前記本体部における前記雄ねじ部の一部と螺合させたナットを、前記固定体および／または前記可動体側に緊締してその位置固定を自在とするのが好ましい。
【００１０】
また、前記固定体および／または前記可動体には、前記他側面側に前記螺孔と連通して前記ナットの没入を許す逃し部を設けておくのが望ましい。
【発明の効果】
【００１１】
請求項１に係る発明によれば、一側バネ用ポストおよび／または他側バネ用ポストにおける本体部の進退方向での固定体および／または可動体の一側面側から他側面側へと貫通形成された螺孔に対し、本体部を進退自在に螺合配置して掛止部相互間の離間距離を可変とすることができるので、事後的に仕様変更や設計変更の必要が生じても、コイルバネに要求される初張力や最大許容撓みなどを変動させることなく十分な対応を図ることができる。
【００１２】
請求項２に係る発明によれば、一側バネ用ポストおよび／または他側バネ用ポストは、固定体および／または可動体の一側面側と他側面側とのうちの少なくともいずれか一方の側に位置する本体部における雄ねじ部の一部とナットを螺合させ、固定体および／または可動体側に緊締することでその位置固定状態を寄り確実なものとすることができる。
【００１３】
請求項３に係る発明によれば、固定体および／または可動体には、他側面側に螺孔と連通してナットの没入を許す逃し部が設けられているので、バネ用ポストは、その本体部を必要以上に長くすることなく用いることができる。
【発明を実施するための最良の形態】
【００１４】
図１は、本発明を固定体側のバネ用ポストに適用した場合の一例を斜め前方からみた際の要部斜視図であり、図２は、図１における固定体とバネ用ポストとの配置関係を斜め後方からみた際の要部拡大図であり、そのうちの（ａ）は、バネ用ポストを短くして使用する際の一例を、（ｂ）は、長くして使用する際の一例をそれぞれ示す。
【００１５】
これらの図によれば、コイルバネ５１として引張り用コイルバネ５２は、固定体１１側に一側バネ用ポスト２２を、揺動軸３３に揺動自在に軸支される可動体３１側に他側バネ用ポスト４２をそれぞれ取り付け、これら一側バネ用ポスト２２の掛止部２６と他側バネ用ポスト４２の掛止部４３との間に架け渡される。
【００１６】
これを図示例に基づいてより詳しく説明すれば、一側バネ用ポスト２２は、図２に詳しく示されているようにその基端部２４側に雄ねじ部２５を有して所要長さを付与して直進させた本体部２３と、該本体部２３の開放端側から折曲された掛止部２６とで略Ｌ字形を呈して一体形成されている。
【００１７】
また、一側バネ用ポスト２２における掛止部２６には、引張り用コイルバネ５２の一側フック部５３を掛止させるための掛止溝２７が形成されている。
【００１８】
棒状を呈する適宜長さの他側バネ用ポスト４２は、図１に示されているように可動体３１の所定位置に形成された螺孔３２にその雄ねじ部４３を螺合した上で、表出している雄ねじ部４３側に螺合させたナット４６を可動体３１側に緊締することで、その掛止部４４を突出させた状態のもとで位置固定されている。なお、掛止部４４の周方向には、引張り用コイルバネ５２の他側フック部５４を掛止させるための掛止溝４５が形成されている。
【００１９】
一方、一側バネ用ポスト２２が取り付けられる固定体１１は、本体部２３の進退方向での一側面１２側から他側面１３側へと貫通形成された螺孔１４を備えており、該螺孔１４を介して本体部２３を進退自在に螺合配置できるようになっている。
【００２０】
この場合、固定体１１における一側面１２から他側面１３へと至る長さは、一側バネ用ポスト２２における本体部２３の長さとの関係で決定される。すなわち、本体部２３は、螺孔１４に螺合させた際、常にその基端側に位置する雄ねじ部２５を他側面１３側から表出させ、該表出部分にナット２８を螺合し、固定体１１側に緊締することで位置固定できる長さを備えている必要がある。
【００２１】
また、固定体１１における一側面１２から他側面１３へと至る長さが長くなる場合には、他側面１３側に螺孔１４と連通してナット２８の没入を許す逃し部１５が設けられることになる。
【００２２】
さらに、固定体１１における一側面１２側には、螺孔１４よりも内径を大きく形成して該螺孔１４と連通させた通孔部１６が形成されており、該通孔部１６を介して本体部２３を円滑に、かつ、深く送り込むことができるようになっている 。
【００２３】
次に、上記構成からなる本発明の作用・効果を図示例を参酌して説明すれば、固定体１１側の一側バネ用ポスト２２における掛止部２６と、可動体３１側の他側バネ用ポスト４２における掛止部４３との間に引張り用コイルバネ５２を架け渡すことで、可動体３１側は、固定体１１側に予圧をかけて支持させることができる。
【００２４】
このとき、引張り用コイルバネ５２の一側フック部５３は、一側バネ用ポスト２２における掛止部２６の掛止溝２７内に掛止させ、かつ、その表側にＥリング  を配置することで確実に止着されることになる。
【００２５】
また、引張り用コイルバネ５２の他側フック部５４は、一側フック部５３と同様にして他側バネ用ポスト４２における掛止部４４の掛止溝４５内に掛止させ、かつ、その表側にＥリング  を配置することで確実に止着されることになる。
【００２６】
しかも、一側バネ用ポスト２２は、本体部２３を固定体１１の螺孔１４に螺合させてある本体部２３を介して、固定体１１の一側面１２と他側面１３との間を進退させることができるので、引張り用コイルバネ５２を架け渡す前にその長さを調整することができることになる。
【００２７】
すなわち、固定体１１の一側面１２側からの突出長を長くして一側バネ用ポスト２２を固定体１１側に位置固定させたい場合には、図１の囲枠部分に対応させた要部説明図として示す図３からも明らかなように、本体部２３の基端側を固定体１１の他側面１３側から表出させ、該表出部分の雄ねじ部２５に対してナットを螺合し、固定体１１側に緊締することで位置固定することができることになる。
【００２８】
しかも、固定体１１における一側面１２から他側面１３へと至る長さが本体部２３の長さに比して必要以上に長い場合には、図２（ａ）に示すように他側面１３に螺孔１４と連通させた逃し部１５を設けておき、該逃し部１５内にナット２８を没入させることで、その長さ分を吸収して螺着することができることになる。
【００２９】
また、固定体１１の一側面１２側からの突出長を最も長くして一側バネ用ポスト２２を固定体１１側に位置固定させたい場合には、図２（ｂ）に示すように固定体１１の一側面１２側から本体部２３の開放端寄りに位置する雄ねじ部２５にナット２８を螺合させておく。
【００３０】
一側バネ用ポスト２２は、この状態のもとで固定体１１の螺孔１４内に本体部２３をナット２８がその一側面１２と当接するに至るまで送り込み、しかる後にナット２８を一側面１２側に向けて緊締することで位置固定することができる。
【００３１】
一方、固定体１１の一側面１２側からの突出長を最短にして一側バネ用ポスト２２を固定体１１側に位置固定させたい場合には、図１の囲枠部分に対応させた要部説明図として示す図４からも明らかなように、本体部２３の基端側を固定体１１の他側面１３側から可能な限り表出させ、該表出部分の雄ねじ部２５に対してナットを螺合し、固定体１１側に緊締することで位置固定することができることになる。
【００３２】
つまり、一側バネ用ポスト２２の掛止部２６と可動体３１の他側バネ用ポスト４２の掛止部４４との離間距離は、一側バネ用ポスト２２の本体部２３を固定体１１に対して単に進退させることで、極く容易に変化させることができるので、引張り用コイルバネ５２の予圧もそれに応じて変化させることができることになる。
【００３３】
したがって、可動部３１は、その予圧の程度（掛止部２６，４４相互の離間距離）に応じて図３および図４に示すように揺動させて位置調整を行うことができることになる。
【００３４】
以上は、本発明を図示例に基づいて説明したものであり、その具体的な内容は、本発明の要旨を逸脱しない限り、種々の変形を加えることができる。例えば、一側バネ用スポットは、可動体側に取り付けたり、固定体と可動体との双方に取り付けることもできる。また、コイルバネは、必要により圧縮用コイルバネを用いることもできる。さらに、一側バネ用スポットは、所望によりナットを用いることなく取り付けることもできる。
【００３５】
また、本発明は、螺孔１４に代えて通孔を設け、本体部２３の雄ねじ部２５を両側からナット２８止めすることで位置固定することもできる。掛止部２６，４４相互の位置関係は、直交配置や交差配置のほか、略平行に配置するなど、相互間にコイルバネ５１を安定的に掛止できるものであればその配置関係は問わない。
【図面の簡単な説明】
【００３６】
【図１】本発明を固定体側のバネ用ポストに適用した場合の一例を斜め前方からみた際の要部斜視図。
【図２】図１における固定体とバネ用ポストとの配置関係を斜め後方からみた際の要部拡大図であり、そのうちの（ａ）は、バネ用ポストを短くして使用する際の一例を、（ｂ）は、長くして使用する際の一例をそれぞれ示す。用した場合の一例を斜め前方からみた際の要部斜視図。
【図３】図１の囲枠部分に対応させた要部拡大説明図。
【図４】図１の囲枠部分との対応関係のもとで一側バネ用ポストを最短にした状態を示す要部拡大説明図。
【図５】従来からあるバネ用ポストの配置状態を示す説明図。
【符号の説明】
【００３７】
１１  固定体
１２  一側面
１３  他側面
１４  螺孔
１５  逃し部
１６  通孔部
２２  一側バネ用スポット
２３  本体部
２４  基端部
２５  雄ねじ部
２６  掛止部
２７  掛止溝
２８  ナット
２９  Ｅリング
３１  可動体
３２  螺孔
３３  揺動軸
４２  他側バネ用スポット
４３  雄ねじ部
４４  掛止部
４５  掛止溝
４６  ナット
４７  Ｅリング
５１  コイルバネ
５２  引張り用コイルバネ
５３  一側フック部
５４  他側フック部
【図１】
2009063074.tif 000003
【図２】
2009063074.tif 000004
【図３】
2009063074.tif 000005
【図４】
2009063074.tif 000006
【図５】
2009063074.tif 000007